(57)【特許請求の範囲】
【請求項１】
気密性袋状体に空気を圧入して立体を形成させる書見台であって、
前記気密性袋状体は空気室が形成されるように隔壁が形成され、かつ空気圧入によって背板用空気室、台板用空気室および係止用空気室とが連設して形成され、かつ前記台板用空気室の両側部に横板用空気室が形成されることを特徴とする、書見台。
【請求項２】
前記台板用空気室が、複数の列状空気室を連設して構成されるものである、請求項１記載の書見台。
【請求項３】
前記横板用空気室の高さが前記係止用空気室の高さよりも低いことを特徴とする、請求項１または２記載の書見台。
【請求項４】
前記台板用空気室と背板用空気室とのなす角が８０〜１３０°であり、前記台板用空気室と係止用空気室とのなす角が３０〜１６０°であり、前記台板用空気室と横板用空気室とのなす角が３０〜１６０°であり、前記横板用空気室の高さが２０〜５０ｍｍである、請求項１〜３のいずれかに記載の書見台。
【請求項５】
前記気密性袋状体は空気栓を有し、かつ前記背板用空気室、台板用空気室、係止用空気室、横板用空気室が連通して形成され、前記空気栓からの空気の圧入によって立体を形成しうることを特徴とする、請求項１〜４のいずれかに記載の書見台。
【請求項６】
浴槽で水面に浮かべて使用するものである、請求項１〜５のいずれかに記載の書見台。
【発明の詳細な説明】
【技術分野】
【０００１】
本発明は、気密性袋状体に空気を圧入して立体を形成させる書見台に関し、特に浴槽内で好適に使用できる書見台に関する。
【背景技術】
【０００２】
近年、浴室には広い年齢層に対応するため多種の浴室機能が求められており、単に体を洗うというだけでなく、一日の疲れを癒し、ストレスを解消させるなどの機能も要望されている。このようなシラクシゼーションの一例として、本を読むなどが要求されている。
【０００３】
このような浴室用の書見台として、例えば天井からブックスタンドを昇降自在に吊り下げ、このブックスタンドを昇降する昇降装置を設けてなることを特徴とする浴室用ブックスタンドがある（特許文献１）。浴槽内に居ながらブックスタンドに本を載置してリラックスした状態で本を読むことができ、しかもこのようにブックスタンドを設けたにも関わらず平面視における浴室スペースが狭くならず、かつ本を読まない場合には、ブックスタンドが邪魔にならず、浴室を使用できるスペースが狭くならないという。
【０００４】
また、本来、入浴者が前傾したときにその荷重を検出して入浴者の異常の有無を判別および報知する浴室安全装置であって、前記荷重検出のための浴槽の縁部に架設支持された台を書見台として使用するという技術もある（特許文献２）。
【特許文献１】特開２００４−２５４８７４号公報
【特許文献２】特開２００３−０７７０７６号公報
【発明の開示】
【発明が解決しようとする課題】
【０００５】
しかしながら、特許文献１記載の方法では、書見のための装置が大掛かりなものとなり、簡便に設置することができない。また、特許文献２記載の方法は、本来、入浴者の異常の有無の検出が目的であるため、その大きさや高さが書見用に適するとは限らず、また、入浴中に常設される必要があるため、不要時には容易に撤去でき、必要なときに簡便に読書をするという目的にはそぐわない。
【０００６】
本発明は、上記現状のもと、浴室で簡便に本を読むことができ、かつリラックスして読書できる書見台を提供することを目的とする。
【課題を解決するための手段】
【０００７】
本発明は、本を浴槽内の湯水に浮かべた書見台に載せると読書しやすいこと、空気の導入によって書見台として機能しうる立体を形成しうるものであれば、必要なときに簡便に組立使用でき、かつ不要時の収納が容易であること、特定形状の気密性袋状体を使用し、特定箇所に特定量の空気が導入できる構造とすることで書見台としての機能を発揮でき、かつ浴槽内で使用する場合にも湯水の影響を回避できることを見出し、本発明を完成させた。
【発明の効果】
【０００８】
本発明の書見台は、気密性袋状体に空気を圧入することで、書見台として好適な立体を形成させることができるため、取り扱いが容易である。
【０００９】
本発明の書見台は、連設して構成される背板用空気室、台板用空気室および係止用空気室と、前記台板用空気室の両側部に横板用空気室とが形成され、浴槽内の湯水に浮かべた場合には、前記横板用空気室や係止用空気室が波除けとしても機能するため、浴槽内で使用する書見台として好適である。
【００１０】
しかも本発明の書見台は浴槽内で湯水に浮かぶためハンドフリーで本を読むことができ、よりリラックスして読書することができる。
【発明を実施するための最良の形態】
【００１１】
本発明は、気密性袋状体に空気を圧入して立体を形成させる書見台であって、
前記気密性袋状体は空気室が形成されるように隔壁が形成され、かつ空気圧入によって背板用空気室、台板用空気室および係止用空気室とが連設して形成され、かつ前記台板用空気室の両側部に横板用空気室が形成されることを特徴とする、書見台である。
【００１２】
気密性袋状体に空気を圧入して立体を形成させる書見台であるため軽量であり、水面に浮かばせて使用することができる。また、発泡スチロールなどの部材からなる書見台は、使用しない場合にもその形状を変形することは困難であるが、本発明では気密性袋状体に空気を圧入して立体を形成させるため、不使用時の収納が容易である。
【００１３】
以下に、本発明の好適な実施態様を示す図１を参照して詳細に説明する。図１において、１００は書見台、１０は台板用空気室、２０は背板用空気室、３０は係止用空気室、４０、５０はそれぞれ横板用空気室を示す。
【００１４】
本発明の書見台は、気密性袋状体に空気を圧入して形成され、書見台としての機能を発揮するものであれば、特にその形状を問わない。例えば、台板用空気室１０の長さは、読書を目的とする本のサイズや重さなどによって適宜選択すればよく、一般には、３００〜７００ｍｍであり、より好ましくは４００〜６００ｍｍ、特に好ましくは４５０〜５５０ｍｍである。また、背板用空気室２０の高さも同様であって、一般には、１５０〜３００ｍｍであり、より好ましくは１８０〜３００ｍｍ、特に好ましくは１８０〜２５０ｍｍである。
【００１５】
また、前記台板用空気室１０と背板用空気室２０とのなす角（θ１）は、８０〜１３０°であることが好ましく、より好ましくは８０〜１２５°、特に好ましくは１００〜１２０°である。８０°を下回ると、本が立てかけづらくなり、一方、１３０°を超えると読書が困難となる場合がある。なお、図１のＡＡ'線での切断面を図２に示すが、本発明において、前記台板用空気室１０と背板用空気室２０とのなす角とは、図２に示すように、前記背板用空気室２０の頂点と底点とを結ぶ直線と、前記台板用空気室１０の前記背板用空気室２０との連接点と、前記台板用空気室１０の前記係止用空気室３０との連接点とを結ぶ直線とのなす角（θ１）とする。
【００１６】
また、前記台板用空気室１０と係止用空気室３０とのなす角（θ２）は、３０〜１６０°であり、より好ましくは５０〜１５５°、特に好ましくは５０〜１５０°である。本発明は、気密性袋状体に空気を圧入して立体を形成させる書見台であるから、θ２が上記範囲であれば、空気の圧入によって前記係止用空気室３０が袋状にふくらみ、本を乗せた後の安定性に優れる。一方、１６０°を超えると本が、台板用空気室１０から滑り落ちる場合があり、３０°より鋭角でも本を係止する効果は向上しない。なお、本発明において、前記台板用空気室１０と係止用空気室３０とのなす角とは、図２に示すように、前記台板用空気室１０の前記背板用空気室２０との連接点と、前記台板用空気室１０の前記係止用空気室３０との連接点とを結ぶ直線と、前記係止用空気室３０の頂点と底点とを結ぶ直線とのなす角（θ２）とする。また、本発明の書見台は、後記するように浴槽内に浮かべて使用することができるが、その際に上記範囲の角度であれば、波除けとしての機能も発揮できる。
【００１７】
なお、本発明の書見台は、空気の圧入量によって角度や高さなどのサイズが変化し、書見台上に本があるか否かによってもこれらの値が変化する。従って、書見台における角度や高さなどの各値は、空気の圧入によって書見台として機能し、かつ本がない状態での値とする。
【００１８】
更に、図２に示すように、前記係止用空気室３０の高さ(ｈ1)は、５０〜９０ｍｍであることが好ましく、より好ましくは６０〜７０ｍｍである。５０ｍｍを下回ると本の滑り止め効果が低減する場合があり、一方、９０ｍｍを超えるとページ送りが困難となる場合がある。
【００１９】
前記台板用空気室１０と横板用空気室４０（５０）とのなす角（θ３）は、３０〜１６０°であり、より好ましくは５０〜１５５°、特に好ましくは５０〜１５０°である。特に、本発明の書見台を浴槽内に浮かべて使用する場合には、上記範囲の角度であれば、波除けとしての機能が効果的に発揮される。なお、図１のＢＢ'線での切断面を図３に示すが、本発明において、前記台板用空気室１０と係止用空気室３０とのなす角とは、図３に示すように、前記台板用空気室１０の両側に設けられた横板用空気室４０（５０）との２つの接点の中心を結ぶ直線と、横板用空気室４０（５０）の頂点と底点とを結ぶ直線とのなす角（θ３）とする。また、図３に示すように、前記横板用空気室４０（５０）の高さ(ｈ２)は、２０〜５０ｍｍであることが好ましく、より好ましくは２５〜５０ｍｍである。本発明の書見台を例えば浴槽内で使用する場合には、書見台前方から書見台に向かう波が多く、書見台の横方向から書見台に向かう波は少ない。このため、前記横板用空気室４０（５０）の高さは前記係止用空気室３０の高さよりも低くても十分に書見台として機能できる。また、このように横板用空気室４０（５０）の高さが前記係止用空気室３０の高さよりも低い場合であっても、実際に書籍を乗せると中央部がへこむ結果、横方が相対的に高くなり、実際の波を効果的に抑制することができる。
【００２０】
本発明の書見台をなす台板用空気室１０は、背板用空気室２０、横板用空気室４０（５０）、係止用空気室３０は一つの空気室からなってもよいが、複数の空気室によって構成されていてもよい。図１は、細長い３列の空気室を連設させて一つの台板用空気室１０とした書見台である。このように、台板用空気室１０が複数の空気室からなる場合には、このような列状空気室によって形成される凹凸を本の滑り止めとして使用することができ、好適である。
【００２１】
本発明の書見台に使用しうる気密性袋状体は、プラスチックのフィルムまたはシートを用いて、公知の成形方法により成形される。上記フィルム、シートには、例えばブロー成形法、インフレーション法、Ｔダイ法等の、従来公知の種々の方法により成形されたものを使用することができる。また、気密性袋状体として多重構造にしてもよく、例えば二重構造の場合、少なくとも内外の何れかが気密性を保有していればよい。
【００２２】
上記プラスチックとしては、特にポリエチレン、ポリプロピレン等のポリオレフィンや塩化ビニルが、優れた成形性を有しており、かつ安全性が確立していることから好適に用いられる。その他、気密性がある種々既知の積層体も好適に使用できる。例えば、空気に対して高い非透過性を有する包装材料には、エチレン−ビニルアルコール共重合体フィルムやポリ塩化ビニリデンフィルムの層を有する三層ラミネートフィルムや、アルミニウム層を有するラミネートフィルムがある。三層ラミネートフィルムでは、エチレン−ビニルアルコール共重合体フィルムの内層には、未延伸のポリプロピレンフィルムや未延伸のポリエチレンフィルムをラミネートすることが好ましく、熱融着性が良好となる。さらにエチレン−ビニルアルコール共重合体フィルムの外層には、二軸延伸ポリプロピレンフィルム、ポリエステルフィルム等をラミネートすることが好ましい。また、ポリエチレン、ポリプロピレン等のオレフィン系樹脂、ポリエステル、ポリウレタン、ポリアミド等の厚みの大きな包装材料を用いることもでき、これらの合成樹脂製積層シートを用いるのが好適である。
【００２３】
本発明の書見台は、気密性袋状体に隔壁を設け空気室を形成するものであり、このような隔壁としては、例えば上記気密性袋状体の所定箇所を熱融着することで形成させることができる。
【００２４】
隔壁は、気密性袋状体に設けた空気栓からの空気の圧入によって背板用空気室２０、台板用空気室１０、係止用空気室３０および横板用空気室４０（５０）に一度に空気が導入されるように、各空気室が連通するように形成されることが好ましい。書見台の使用時に空気栓によって空気を圧入でき、かつ不要時には空気を抜いて収納することができる。
【００２５】
なお、気密性袋状体には、各空気室にそれぞれ空気栓を設けてもよく、これによって各空気室が独立して形成される。
【００２６】
本発明の書見台は、空気圧入によって、書見台たる立体を形成するものであり、書見台として使用するのであれば特に使用場所が限定されるものではないが、空気の導入によって水面に浮遊することができるため、プールや海水、浴槽に浮かべて使用することもできる。特に、本発明の書見台は、台板用空気室１０の四方が、背板用空気室２０、係止用空気室３０、および２つの横板用空気室４０、５０によって囲まれ、これらによって水面の揺れによって発生する波が、台板用空気室１０上に移送されることを防止できる。従って、水面に浮かせて使用する場合に特に好適である。
【００２７】
本発明の書見台に載せることのできる本の重量は、書見台のサイズによって適宜選択すればよく、いわゆる週刊誌の使用に好適である。
【実施例】
【００２８】
次に実施例を挙げて本発明を具体的に説明するが、これらの実施例は何ら本発明を制限するものではない。
【００２９】
実施例１
４５０ｍｍ×５２０ｍｍの塩化ビニルシートと、隅に空気栓を有する同サイズの塩化ビニルシートとを重ね、図４に示す箇所を熱融着して書見台を製造した。図４において８０は熱融着部を示し、９０は空気栓を示す。
【００３０】
該書見台に空気を導入したところ、図１に示す形状となった。
【図面の簡単な説明】
【００３１】
【図１】本発明の書見台の一例であり、台用空気室が単一の空気室からなる書見台の斜視図である。
【図２】図１の書見台において、ＡＡ'線の断面図である。
【図３】図１の書見台において、ＢＢ'線の断面図である。
【図４】実施例１で調製した書見台の空気導入前の平面図である。
【符号の説明】
【００３２】
１０…台板用空気室、
２０…背板用空気室、
３０…係止用空気室、
４０、５０…横板用空気室、
８０…熱融着部
９０…空気栓
１００…書見台。
【図１】
0004681424.tif 000002
【図２】
0004681424.tif 000003
【図３】
0004681424.tif 000004
【図４】
0004681424.tif 000005